(57)【要約】【課題】従来考案されている、球面収差検出方式では、光検出器の位置ずれが発生したとき球面収差検出信号に誤差が発生するし、補正効果が十分発揮できないことが合った。【解決手段】光ディスクからの反射光を８分割し、光検出器上で、光検出器が位置ずれした場合でも検出信号の誤差がキャンセルするように配置する。これにより、球面収差検出信号の検出誤差が低減できる。【選択図】  図１
2004158150.tif 000002
【特許請求の範囲】
【請求項１】
光源と、
光源から出射される光を媒体上に集光する集光手段と、
媒体からの反射光を光検出器上に集光する分割光収束手段と
前記反射光光束を分割する光束分割手段を有する光ヘッドにおいて、
前記反射光光束分割手段は８領域に分割されていることを特徴とする光ヘッド。
【請求項２】
前記反射光光束分割手段は所定の点を中心として円周方向に４分割され、前記分割された各領域は、前記点から近い領域と遠い領域に２分割されていることを特徴とする請求項１の光ヘッド。
【請求項３】
前記反射光光束分割手段は所定の点を中心として直交する２直線によって４分割され、前記分割された各領域は、前記点を中心とする円によって２分割されていることを特徴とする請求項１あるいは２に記載の光ヘッド。
【請求項４】
光源と、
光源から出射される光を媒体上に集光する集光手段と、
媒体からの反射光を光検出器上に集光する分割光収束手段と
前記反射光光束を分割する光束分割手段を有する光ヘッドにおいて、
前記光束の１光束に対応する検出器上の分割された１対の領域の、前記光束によって照射される光量の差で焦点検出するように構成され、
各検出光束に対応する前記分割線は相互に平行であり
前記焦点検出可能な４以上の光束と
少なくとも４対の検出器を備え、
前記４対の検出器を焦点検出の極性が相互に反対の２組に分け、その２組の差を取ることによって焦点検出を行うことを特徴とする光ヘッド。
【請求項５】
前記反射光光束分割手段は所定の点を中心として円周方向に４分割され、前記分割された各領域は、前記点から近い領域と遠い領域に２分割されていることを特徴とする請求項４の光ヘッド。
【請求項６】
前記反射光光束分割手段は所定の点を中心として直交する２直線によって４分割され、前記分割された各領域は、前記点を中心とする円によって２分割されていることを特徴とする請求項４あるいは５に記載の光ヘッド。
【請求項７】
前記媒体は案内溝を有し、前記分割線の少なくとも一つは案内溝の接線に平行であることを特徴とする請求項１から６に記載の光ヘッド。
【請求項８】
前記反射光光束分割手段は偏光性回折格子であることを特徴とする請求項１から７に記載の光ヘッド。
【請求項９】
請求項１、４の光ヘッドを用いた光ディスク装置。
【発明の詳細な説明】
【０００１】
【発明の属する技術分野】
本発明は、光ディスク装置等の光ヘッドに係り、検出器のずれの影響を低減する高密度記録再生用光ヘッドに関する。
【０００２】
【従来の技術】
現在一般に使われている光ディスク装置は高い記録密度とともに、複数の種類の光ディスクを再生することが要求されている。現在使用されている光ディスクのトラックずれ検出は、回折光差動方式、３スポット方式、ＤＰＤ方式などがあり、記録用ＤＶＤディスクあるいは再生専用ＤＶＤディスクに対応する光ヘッドは回折光差動方式およびＤＰＤ方式のトラッキング誤差検出光学系を備えることが必要である。（このような光ヘッド光学系の１例として、特許文献１参照。）一般に光ディスク装置で記録密度をあげるためには、光ディスクに光を集光させる対物レンズの開口数（ＮＡ）を大きくするか、記録再生に用いる光の波長を短くすることが必要となる。近年、この大容量化を実現するため、開口数を０．８程度、波長を４１０ｎｍ程度にする開発が進んでいる。ここで、開口数を大きくすると光ディスクのカバー層の厚み誤差や２層ディスクによるカバー層の厚み増加により発生する球面収差が問題になってくる。
【０００３】
そこで、この球面収差量を測定し、補正する手段が必要となってくる。球面収差量の測定手段としては、たとえば、特許文献２や特許文献３に記載の技術などがある。
【０００４】
特許文献２の特開２０００−１７１３４６を例に取り従来技術について図５を用いて説明する。光源である半導体レーザ１を出射した光は回折格子１１の０次光としてコリメートレンズ２に入射し平行光となり球面収差補正素子４を経て、対物レンズ７へ到る。対物レンズ７は前記光を光ディスク８上に収束し、光スポットを形成する。該光スポットを用いて、光ディスク８上の情報を再生したり、光ディスク８上に情報を書き込んだりする。ここで、球面収差補正素子４として、光束中心部分と外周部分の間に位相ずれを発生する液晶素子などが使用可能である。あるいは、いわゆるイマージョンレンズとそのアクチュエータを、対物レンズ７と光ディスク８の間に配置しても良い。光ディスク８からの反射光は再び対物レンズ７、球面収差補正素子４、コリメートレンズ２を経て、回折格子１１へと到る。回折格子１１で、反射光は回折され光検出器１２へ入射する。
【０００５】
次に、回折格子１１のパターンと光検出器１２の受光パターンについて図を用いて説明する。図６は回折格子１１のパターンの概念図を示している。回折格子５００（回折格子１１と同じもの）のパターンは光束５０５より大きな領域に形成され、３つの領域に分割されている。領域分割は光束５０５の中央を通るように設定された直線Ａ−Ａで２つの領域に分割され、その一方を光束５０５の中央となるように設計された点を中心とする半円で分割している。分割した領域をそれぞれ、領域５０１、領域５０２、領域５０３とする。領域５０１と領域５０２、５０３に分割する分割線Ａ−Ａは、光ディスク８の案内溝の接線方向に垂直な方向としている。
【０００６】
回折格子１１で回折された光は光検出器１２上に集光されるが、その受光パターンを図７（イ）、（ロ）、（ハ）を用いて説明する。光検出器６００（光検出器１２と同じもの）と回折格子５００はそれぞれの分割線Ａ−Ａの方向が一致するように配置されている。尚、図７（イ）、（ロ）、（ハ）は光ディスク８と対物レンズ７の距離が焦点距離よりも大きい場合の例を（イ）、焦点距離に一致する場合を（ロ）、焦点位置より小さい場合の例を（ハ）として示している。光検出器６００は図７に示すように５つの領域に分割されている。それぞれの領域をｑ、ｒ、ｓ、ｔ、ｕとすると、回折格子の領域５０１からの回折光はｑのほぼ中央に照射される。また、領域５０３からの回折光はｒとｓの中央に照射される。
更に、領域５０２からの回折光はｔとｕの中央に照射される。各検出器からの出力をＳｑ、Ｓｒ、Ｓｓ、Ｓｔ、Ｓｕとすれば焦点検出信号ＦＥは
ＦＥ＝（Ｓｒ−Ｓｓ）      ………（１）
で得られる。図７（ロ）は、光ディスク８上に焦点が合った状態で、ＳｒとＳｓの出力が等しくなっている。図７（イ）では光ディスク８と対物レンズ７の距離が焦点距離よりも大きくなっておりＦＥ＜０となる。その逆に、光ディスク８と対物レンズ７の距離が焦点距離よりも小さい図７（ハ）の場合ではＦＥ＞０となり、極性も含めて焦点ずれ量の検出が可能となる。
【０００７】
また、球面収差量を検出する信号ＳＡは光束の中央付近と、外周部付近で焦点がずれると言う特性を利用し、
ＳＡ＝（Ｓｒ−Ｓｓ）−Ｋ１×（Ｓｔ−Ｓｕ）………（２）
で得られる。ここで、Ｋ１は定数である。この球面収差量信号ＳＡを用いて、球面収差補正素子による補正量をコントロールすることで球面収差補正を行なう。
【０００８】
【特許文献１】
特開平１０−３４０４６１号公報
【特許文献２】
特開２０００−１７１３４６公報
【特許文献３】
特開２００１−３０７３４９公報
【０００９】
【発明が解決しようとする課題】
一般に検出器周辺の熱膨張や接着剤の状態変化等で光検出器の位置ずれが発生する。上記従来技術では光検出器が位置ずれを起こした場合、検出信号に誤差が発生しやすいと言う問題がある。
【００１０】
光検出器６００の位置ずれが図６の分割線Ａ−Ａに対して垂直な方向に発生すると、焦点検出信号ＦＥ及び球面収差量検出信号ＳＡは誤差を発生する。たとえば、図７（ロ）で光検出器６００が図面上方にずれたとすると
ＦＥ＝（Ｓｒ−Ｓｓ）＜０………（３）
ＳＡ＝（Ｓｒ−Ｓｓ）−Ｋ１×（Ｓｔ−Ｓｕ）＜０………（４）
となり、光ディスク８上で焦点が合っていても焦点検出信号は負となり、焦点検出号ＦＥを０に戻すように対物レンズ７の位置を補正してしまう。同様に、球面収差が発生していなくても球面収差補正を行なってしまう。ここで、光検出器６００の許容位置ずれ量は光検出器に集光するレンズの焦点距離にも依るが、おおむね数μｍである。
【００１１】
更に、上記従来技術は、トラッキング誤差検出について配慮しておらず実用上の観点から更なる改良が必要である。
【００１２】
【課題を解決するための手段】
上記課題は媒体からの反射光光束を分割する反射光光束分割手段によって形成された焦点検出信号を検出可能な４以上の光束と、少なくとも４対の検出器を備え、前記４対の検出器を焦点検出の極性が相互に反対の２組に分け、その２組の差を取ることによって焦点検出を行うとともに、
１つの光束に対応する検出器上の分割された１対の領域の、前記光束によって照射される光量の差で焦点検出するように構成し、各検出光束に対応する前記分割線を平行にすることによって達成可能である。
【００１３】
【発明の実施の形態】
本発明の実施の形態を図１、図２及び図３を用いて説明する。
図３は本発明の実施の形態を表す、光ヘッドの構成の説明図である。以下の説明において、従来技術の説明で述べたものと基本的に同じ要素は同じ番号を付して説明する。図１は本発明による偏光性回折格子、図２は光検出器の分割方式及び受光パターンの説明図である。
【００１４】
図３で示すように、半導体レーザー１から出射した光はコリメートレンズ２で平行光になり、偏光ビームスプリッタ３、球面収差補正素子４及び偏光性回折格子５を透過し１／４波長板６に到る。１／４波長板６を透過することによって光は直線偏光から円偏光へと変化する。１／４波長板６を透過した光は対物レンズ７により光ディスク８上に焦点を結ぶ。光ディスク８からの反射光は再び対物レンズ７を透過し、１／４波長板６及び偏光性回折格子５へと到る。１／４波長板６で光の偏光方向が円偏光から、往路での偏光方向と垂直な方向の直線偏光に変化し、偏光性回折格子５で回折される。偏光性回折格子５は往路での直線偏向は回折せず、往路と直交する方向の復路の直線偏光は回折するように設計されている。回折された光は偏光ビームスプリッタ３で反射され検出レンズ９で光検出器１０上に絞り込まれる。
【００１５】
次に、図１、と図２を用いて、偏光性回折格子５の領域分割方法及び光検出器１０上の光束のパターンを説明する。図１は偏光性回折格子１００の領域分割を示す説明図である。偏光性回折格子１００は偏光性回折格子５と同じものであり、説明のために別の番号を付したものである。偏光性回折格子１００の領域は８分割されている。前記回折格子１００の領域は、設定された中心を通り光ディスク８の案内溝の接線方向に垂直な直線Ａ−Ａ、及び平行な直線Ｂ−Ｂにより４分割され、更に前記設定された中心を通る円で内側、外側に分割されている。その結果、偏光性回折格子１００には領域１０１から領域１０８の８領域が形成される。それぞれの領域ではピッチと方向が異なる格子が形成されており、以下に示す光検出器２００の所定の場所に光スポットが形成されるように構成されている。
【００１６】
図２の（イ）、（ロ）、（ハ）は光検出器２００の受光パターンとそこに形成される、光パターンを示す説明図である。図２（ロ）は光ディスク８に焦点が合っている場合、図２（イ）は光ディスク８と対物レンズ７の距離が焦点距離よりも大きくなっている場合、図２（ハ）は光ディスク８と対物レンズ７の距離が焦点距離よりも小さくなっている場合を示している。
【００１７】
図２（イ）を用いて、偏光性回折格子１００の領域と光検出器２００上の光パターンの関係を説明する。光検出器２００と偏光性回折格子１００はそれぞれの分割線Ａ−Ａの方向が一致するように配置されている。偏光性回折格子の内側の４領域、すなわち領域１０１、領域１０２、領域１０３、領域１０４で回折された光は、領域１０１の＋１次回折光が検出器上のｅ、とｆの分割線上、−１次回折光項が検出器上のｎに照射される。以下同様に、領域１０２はｅ、とｆの分割線上及びｐ、領域１０３はｇ、とｈの分割線上及びｍ、領域１０４はｇ、とｈの分割線上及びｏに照射される。一方、外側の４領域、すなわち領域１０５、領域１０６、領域１０７、領域１０８で回折された光は、領域１０５の＋１次回折光が検出器上のｉ、とｊの分割線上、−１次項が検出器上のｎに照射される。以下同様に、領域１０６はａ、とｂの分割線上及びｐ、領域１０７はｋ、とｌの分割線上及びｍ、領域１０８はｃ、とｄの分割線上及びｏに照射される。上記の偏光回折格子１００の各領域からの光束が、光検出器２００の各検出部に到る様子を、焦点検出系を重点として模式的に図８に示す。偏光回折格子１００の領域１０１および領域１０３については、＋１次回折光と−１次回折光を示し、他の領域については見難くなるのを避けるため、＋１次回折光のみを示した。上記のように偏光性回折格子１００で分割された光束を検出器の所定の位置に入射させるために、前記回折格子の領域１０１から領域１０８の各領域の回折格子のピッチと方向をそれぞれ設定する。
【００１８】
焦点検出信号はナイフエッジ方式に基づいて作成する。ここで、検出器ａからの出力をＳａ、以下同様に各検出器からの出力をＳｂ、Ｓｃ、Ｓｄ、Ｓｅ…・Ｓｐとすれば焦点検出信号ＦＥは
ＦＥ＝（Ｓｅ−Ｓｆ）＋（Ｓｈ−Ｓｇ）………（６）
で得られる。
【００１９】
また、球面収差量を検出する信号ＳＡは光束の中央付近と、外周部付近で焦点がずれると言う特性を利用し、
ＳＡ＝｛（Ｓｅ−Ｓｆ）＋（Ｓｈ−Ｓｇ）｝−Ｋ×［｛（Ｓａ−Ｓｂ）＋（Ｓｄ−Ｓｃ）｝＋｛（Ｓｉ−Ｓｊ）＋（Ｓｉ−Ｓｋ）｝］………（７）
で得られる。ここで、Ｋは定数である。
【００２０】
更にトラックサーボ信号に用いる２つの信号は以下のように得ることができる。第１にプッシュプル信号は
ＴＲｐｐ＝（Ｓｍ＋Ｓｐ）−（Ｓｎ＋Ｓｏ）………（８）
で得られ、第２にＤＰＤ信号は
ＴＲｄｐｄ＝（Ｓｍ＋Ｓｎ）−（Ｓｏ＋Ｓｐ）………（９）
で得られる。
【００２１】
このような構成にすることにより、トラックサーボ信号の検出に用いる光ビームは光検出器の各分割領域の内側に入射するため、検出器の位置のずれが問題になることは実際上ない。
【００２２】
また、従来技術で問題であった光検出器の位置ずれによる焦点検出信号ＦＥ及び球面収差検出信号ＳＡの誤差発生が低減できる。図４を用いて、誤差発生の低減の様子を示す。図４は図２の（ロ）に対応する図で、光ディスク上に焦点が合っている場合を示している。また、説明のため、光検出器上の光スポットは図２より大きく描いている。図４の（ロ）は光検出器が位置ずれしていない状態を示す。これに対し、（イ）は光検出器が図面の下方向にずれた場合を示している。
図４（イ）のように光検出器がずれた場合、式（６）の第１項は増加、第２項は減少するが、検出値が増加する光束は２、減少する光束も２であり、増加量、減少量が等しくなる。したがって、焦点検出信号は変化しない。球面収差検出信号についても同様になる。すなわち、式（７）の第１項、第２項は位置ずれ量に応じて出力が増減するが、増加量、減少量が等しいので、キャンセルされる。第３項と第４項及び第５項と第６項も同様にキャンセルされる。したがって、式（７）で現される球面収差検出信号は変化しない。これは光検出器の位置ずれ方向が、上の場合でも増加、減少の方向は変化するが、同様に変化量が等しいため焦点検出信号は変化しない。また、図４（ハ）は光検出器が図面の左方向にずれた場合を示している。この場合は光検出器のそれぞれの領域に照射される光スポットの割合が変化しないので焦点検出信号ＦＥ、球面収差検出信号ＳＡともに変化しない。このように、光検出器が位置ずれを起こした場合でも、各光スポットは焦点検出信号ＦＥ及び球面収差信号ＳＡの正の項及び負の項に同程度ずつ移動し全体として誤差をキャンセルする。
【００２３】
上記の、検出器の位置ずれの焦点検出誤差、球面収差検出誤差およびトラックサーボ信号検出誤差への影響を低減するための考え方を整理すると以下のようになる。なお、本特許の場合、球面収差検出は焦点検出を組み合わせて行っているので、ここでは球面収差検出について特に取り上げて説明はしない。
（１）検出器の各検出領域がそこに入射している光束の寸法よりも十分に大きく、かつ光束の外縁部から検出領域の縁まで十分余裕がある。・・・・トラックサーボ信号の場合
（２）同様の変化をする複数の検出光ビームがあり、検出器の位置ずれに対し、それぞれの光束の出力が互いに逆の変化をして複数の検出器あるいは検出器の組の出力を合わせると、合わせた出力が変化しない方向が存在する。・・・・焦点検出の場合
（３）検出光束と検出器が検出面の面内で相対的に移動した時、検出器の出力が変化しない方向が存在する。・・・焦点検出の場合
（４）上記、（２）の方向と（３）の方向は検出面の面内の直交した方向である。
【００２４】
上記（１）は自明であり説明の必要はしないが、（２）および（３）についてさらに具体的に説明をする。
上記（２）を具体化するために上記実施の形態では、焦点検出信号を検出可能な光束は８つあり、検出器の組は６組存在し、６組を焦点検出の極性が相互に反対の２組に分け、その２組の差を取ることによって焦点検出出力の増大と、検出器と検出光束の相対位置ずれの低減を図っている。本実施の形態では、前記のように検出器の組は６組にしたが、原理的には４組にしても、同様の効果が期待できる。但し、４組にする場合は、たとえば図２に示した検出器の検出部ａ、ｂ、ｃ、ｄに入射していた光束を検出部ｉ、ｊ、ｋ、ｌに入射するように偏光性回折格子５を変更することが必要である。その場合、領域１０６の＋１次光を検出器のｉ、ｊ分割線上、領域１０８の＋１次光を検出器のｋ、ｌ分割線上に入射するようにする。さらに、前記４組の検出器に入射する光束を各々１つづつにすれば最低限４つの光束で、検出器のずれによる焦点検出信号ＦＥおよび球面収差検出信号ＳＡの誤差が小さい検出が可能である。
【００２５】
また、（３）を実現するために（３−１）焦点検出を、１つの光束に対応する検出器上の分割された２つの領域の、前記光束によって照射される光量の差で検出するように構成し、各検出光束に対応する前記分割線を平行にしている。
【００２６】
上記とは別の焦点検出系に求められる特性としてＳ字特性のバランスがある。
これは対物レンズと光ディスク面の距離が焦点距離からずれるに従い検出信号が０からずれて行き、光学系で決まる所定の位置ずれ量で最大になった後、漸次低下して行く特性を表した呼称である。対物レンズと光ディスク面の距離が焦点距離に一致した時、焦点検出信号は０となり、前記距離が焦点距離より大の時と小の時で極性が逆になるが、大側の絶対値最大と小側の絶対値最大が概ね一致することが望まれており、このような状態をＳ字信号がバランスしていると呼ぶ。本実施例は前述のように領域１０３と領域１０４を通過した光束は図８に示したように交差して検出部に入射させることにより、前記Ｓ字信号のバランスを改善している。このようにする効果を図９と図１０を用いて説明する。
【００２７】
図１０は本実施例と異なり、領域１０３と領域１０４を通過した光束を領域１０１と領域１０２を通過した光束と同様に、交差させない場合の、対物レンズと光ディスク面の距離が焦点距離から大きくずれた場合を示している。図１０（イ）は対物レンズと光ディスク面の距離が焦点距離より近い場合で、図１０（ロ）は遠い場合を示している。図１０（イ）では、焦点検出を行う検出部ｅ、ｆ側および検出部ｇ、ｈ側の双方とも入射光束の一部が検出部からはみ出しており、焦点検出信号の絶対値が小さくなることを示している。一方、図１０（ロ）では検出部ｅ、ｆ側および検出部ｇ、ｈ側の双方とも入射光束は検出部内にあり、焦点検出信号の絶対値が小さくなることはない。以上説明したように、図１０に示したように光束が検出部に入射する場合は、対物レンズと光ディスク面の距離が焦点距離より小さい場合と、大きい場合で焦点検出系の出力の絶対値が異なり、Ｓ字信号がアンバランスになる。
【００２８】
一方、本実施例の場合の、対物レンズと光ディスク面の距離が焦点距離から大きくずれた場合の光検出器上の様子を図９に示す。図９（イ）は対物レンズと光ディスク面の距離が焦点距離より近い場合で、図９（ロ）は遠い場合を示している。図９（イ）では、焦点検出を行う検出部ｅ、ｆ側が検出部から入射光束の一部がはみ出し、検出部ｇ、ｈ側は入射光束は検出部内である。一方、図９（ロ）では検出部ｅ、ｆ側は入射光束は検出部内であり、検出部ｇ、ｈ側は入射光束の一部が検出部からはみ出している。以上のように本実施例の場合は、対物レンズと光ディスク面の距離が焦点距離より近い場合でも、遠い場合でも焦点検出信号は同じような絶対値の出力が出るため、Ｓ字信号のバランスが良いことが分かる。
【００２９】
偏光回折格子１００の外側の領域１０５、１０６、１０７、１０８を通過した光束は、光束の外径が大きいため図９あるいは図１０から分かるように、対物レンズと光ディスク面の距離が焦点距離から少しずれただけで検出部ａ、ｂ、ｃ、ｄあるいは検出部ｉ、ｊ、ｋ、ｌからはみ出すしてしまうため、焦点制御が行なわれていない場合に、使うのには適していない。
【００３０】
図８に示した偏光回折格子１００のある領域ｎを通過した＋１次回折光と−１次回折光が光検出器２００上に入射した時の両者を結ぶ直線が、分割線Ａ−Ａと成す角θｎが小さくなり、かつ検出器１００の寸法が所定の大きさになるようにしている。温度変化等でレーザの波長が変わると、回折格子での回折角が変化し、前記直線上で＋１次回折光と−１次回折光の光束が動いてしまう。領域１０１と領域１０３の光束の動く方向は分割線Ａ−Ａに対し反対方向であるから、焦点検出信号に対して誤差となって現れる。分割線Ａ−Ａに対し反対側にいる光束同士で前記と同様の関係にあるため、焦点検出信号の誤差を抑えるため、前記角θｎを所定の範囲内にすることが必要である。
【００３１】
また、本方式に依れば、偏光性回折格子１００により、光束の中心を通り案内溝の接線方向に垂直な直線、及び光束の中心を通り案内溝の接線方向に平行な直線で分割された光束を光検出器２００のｍ、ｎ、ｏ、ｐの各部で独立して検出可能なため、前記（９）式の演算により、ＤＰＤ方式のトラック検出信号を得ることが出来る。また、前記回折格子の分割は、対物レンズで集光された収束光が光ディスク上の案内溝を横切った時に焦点検出信号に出る影響を抑えるのに有効である。
【００３２】
図１１は、本発明である光ヘッドを搭載した、ディスク装置の概要を示す平面図である。
シャーシ６０には、ディスク６９を係合して所定回転数にて回転させるための手段であるスピンドルモータ６１、本発明である光ヘッドなどを搭載したピックアップケース部材１３、及び該ピックアップケース部材１３上に締結用部材７３によって締結された係合部材７２を介して、該ピックアップケース部材１３を該ディスク６９の半径方向へと駆動し、所望位置へと移動させる手段であるシークモータ６２とリードスクリュー６３、また該ピックアップケース部材１３を保持して移動動作を案内するためのガイドシャフト６４及び６５などが搭載されている。通常該シャーシ６０は外部筐体（図示せず）などへ、６６、６７、６８といった連結用部材によって連結されている。
【００３３】
また、該ピックアップケース部材１３から出ている部材７４は、該ピックアップ内の要素を動作させるために必要な各種電気信号等や、該ピックアップに検出される各種電気信号等を外部の回路系（図示せず）とやり取りする為の信号伝達手段である。
ここで、該位置決め用部材１４は、該ピックアップケース１３内に７１ａ、７１ｂ、７１ｃといった部材によって、該アクチュエータの位置決め用の姿勢が調整され、且つ締結保持されている。
こうした構造を有することによって、該ディスク装置は、外部からの振動や衝撃などによって発生する該対物レンズやディスクの傷付きなどを回避することが可能となり、ディスク装置性能の信頼性向上を図ることが出来るものである。
【００３４】
【発明の効果】
以上のように本発明により、光検出器の位置ずれによる球面収差検出信号の誤差を低減することが出来る。また、ＤＶＤ−ＲＯＭで用いられるトラック検出信号方式であるＤＰＰ方式の検出も可能になる。
【図面の簡単な説明】
【図１】本発明の一実施形態を示す偏光性回折格子の説明図
【図２】本発明の一実施形態を示す光検出器の説明図
【図３】本発明の一実施形態を示す光ヘッドの構成図
【図４】本発明の一実施形態において、検出器がずれた時の状態を示す説明図
【図５】従来技術の光ヘッドの構成を示す説明図
【図６】従来技術の回折格子の説明図
【図７】従来技術の光検出器を示す説明図
【図８】本発明の一実施形態における偏光性回折格子と光検出器の関係を示す説明図
【図９】本発明の一実施形態におけるＳ字信号をバランスさせる光束の配置の説明図
【図１０】Ｓ字信号をバランスさせない光束の配置の説明図
【図１１】本発明のディスク装置の一実施形態の平面図
【符号の説明】
１…半導体レーザー、２…コリメートレンズ、４…球面収差補正素子、５…偏光性回折格子、６…光ディスク、７…対物レンズ、８…光ディスク、９…検出レンズ、１０…光検出器、１００…偏光性回折格子（５と同じ）、１０１〜１０８…偏光性回折格子の分割された領域、２００…光検出器（検出面形状）
【図１】
2004158150.tif 000003
【図２】
2004158150.tif 000004
【図３】
2004158150.tif 000005
【図４】
2004158150.tif 000006
【図５】
2004158150.tif 000007
【図６】
2004158150.tif 000008
【図７】
2004158150.tif 000009
【図８】
2004158150.tif 000010
【図９】
2004158150.tif 000011
【図１０】
2004158150.tif 000012
【図１１】
2004158150.tif 000013